(57)【要約】【課題】設置場所への鳥類の飛来を確実にかつ長期間防止することができる鳥類忌避装置を提供することを課題とする。【解決手段】磁石と、非磁性の磁石収納体（袋３）と、前記磁石を封入した前記磁石収納体を揺動可能に、かつ設置位置を移動可能に吊り下げる吊下手段を備えた鳥類忌避装置を提供する。【選択図】図１
2005124429.tif 000002
【特許請求の範囲】
【請求項１】
磁石と、非磁性の磁石収納体と、前記磁石を封入した前記磁石収納体を揺動可能に、かつ設置位置を移動可能に吊り下げる吊下手段を備えたことを特徴とする鳥類忌避装置。
【請求項２】
磁石がネオジム磁石である請求項１に記載の鳥類忌避装置。
【請求項３】
磁石収納体が、非磁性シートからなる袋である請求項１又は２に記載の鳥類忌避装置。
【請求項４】
吊下手段が、非磁性の竿と、この竿に磁石を封入した磁石収納体を揺動可能に取付ける非磁性の糸からなる請求項１〜３の何れか１つに記載の鳥類忌避装置。
【請求項５】
磁石収納体内で磁石を包み込む非磁性材料からなる被覆部材をさらに備えてなる請求項１〜４の何れか１つに記載の鳥類忌避装置。
【請求項６】
袋を構成する非磁性シートが、外光を反射可能なアルミ箔と、このアルミ箔にラミネートされたプラスチックフィルムからなる請求項３〜５の何れか１つに記載の鳥類忌避装置。
【発明の詳細な説明】
【技術分野】
【０００１】
本発明は、鳥類忌避装置に関し、さらに詳しくは鳥類の餌場となる農地、漁港、骨粉製造工場等に群がるカラス、スズメ、カモ、カモメ等の鳥類の忌避装置に関する。
【背景技術】
【０００２】
わが国の農業はいうまでもなく稲作栽培が中心であり、今日まで雑草の影響及び鳥による被害を軽減させることに様々な努力を重ねてきた。例えば、適度に雨が降る季節に合わせて苗を作り、移植を雑草との生育ステージ差を利用して雑草を抑制し、保温折衷稲代、あるいは現在の稚苗箱育苗やペーパーポット育苗により鳥害を抑制してきた。技術の進歩により、雑草防除は除草剤によりほぼ十分な成果が得られるようになったが、鳥害抑制では未だ十分な成果が得られていないのが現状である。
【０００３】
そのため最近では、鳥が地磁気を感知する能力があることを利用した様々な鳥類忌避装置が提案されている。例えば、特開平７−６７５１３号公報（特許文献１）には、旗が吊下げられた棒状のＭｎＡｌＣ磁石をワイヤで固定物に吊下げ、風力やモータにより磁石を回転させて磁場を変化させることにより、鳥が磁場の変化（変動磁場）を感知して逃避するように構成した鳥類忌避装置が開示されている。その他、磁場を変化させる鳥類忌避装置としては、特開平７−２５０６０８号公報（特許文献２）、特開平８−３８０２３号公報（特許文献３）等が挙げられる。
【０００４】
しかしながら、このような従来の鳥類忌避装置では、鳥類が群がる場所に設置した当初は、鳥が設置場所に集まらず忌避効果が得られたことが実感できるが、その効果は必ずしも長く続かなかった。その原因としては、（１）鳥が一定箇所にて生ずる変動磁場に慣れること、（２）風雨や太陽光等の自然環境により磁石が劣化して磁力が弱まること、（３）強い吸着力の磁石を使用した場合、設置場所の周囲に金属製（磁性）の構造物等があると風で揺れた磁石が金属製構造物等に吸着し、変動磁場が得られなくなることが主として考えられる。
【特許文献１】特開平７−６７５１３号公報
【特許文献２】特開平７−２５０６０８号公報
【特許文献３】特開平８−３８０２３号
【発明の開示】
【発明が解決しようとする課題】
【０００５】
本発明は、上述の問題に鑑み、設置場所への鳥類の飛来を確実にかつ長期間防止することができる鳥類忌避装置を提供することを課題とする。
【課題を解決するための手段】
【０００６】
かくして、本発明によれば、磁石と、非磁性の磁石収納体と、前記磁石を封入した前記磁石収納体を揺動可能に、かつ設置位置を移動可能に吊り下げる吊下手段を備えたことを特徴とする鳥類忌避装置が提供される。
【発明の効果】
【０００７】
本発明の鳥類忌避装置によれば、従来のこの種の装置が有していた上記（１）、（２）、（３）の問題を解決し、風力などの自然力によって磁石収納体が揺動して磁場が変化することを利用して、設置場所への鳥類の飛来を確実にかつ長期間防止することができる。すなわち、上記（１）、（２）、（３）の問題に対しては、吊下手段によって磁石を封入した磁石収納体の設置位置を移動させることができるので鳥の磁石への慣れ（同じ設置位置で発生する変動磁場への慣れ）を防止し、磁石収納体によって磁石の自然環境による劣化を防止して長期間の性能維持を可能とし、かつ磁石の吸着力を抑制して金属性（磁性）の構造物等に吸着し難くすることができる。
【発明を実施するための最良の形態】
【０００８】
本発明において、磁石としては特に限定されるものではなく、ネオジム（Nd-Fe-B系）磁石、Sm-Co系磁石、Fe-Cr-Co系磁石等が挙げられるが、できるだけ高い磁気エネルギーを有するものが好ましく、具体的にはネオジム磁石が好ましい。このネオジム磁石としては、表面には防錆のためのニッケルメッキが施された市販のものを用いることができる。また、ネオジム磁石の形状としては、特に限定されるものではなく、例えば平板状、棒状、粒状等を挙げることができるが、できるだけ高い磁気エネルギーを発生する形状が好ましい。
また、本発明の鳥類忌避装置としては、設置位置から少なくとも半径２０〜３０ｍ程度が鳥に対する抑止力の範囲であることが好ましく、この範囲の抑止力が得られる程度の磁気エネルギーを確保できるよう、磁石の大きさ、形状、個数、磁石収納体内での配列等を工夫することが好ましい。例えば、直径：１２〜１４ｍｍ、厚さ：１０ｍｍの大きさの磁束密度５００ｍＴのネオジム磁石を用いる場合、磁石１個を磁石収納体内の略中央位置に配置するのが、上記抑止力の範囲をより拡大させるのに有効である。
【０００９】
本発明において、吊下手段としては特に限定されるものではないが、例えば、非磁性の竿と、この竿に磁石を封入した磁石収納体を揺動可能に取付ける非磁性の糸からなる構成が、製作を容易に低コストにて行える点で好ましい。竿としては、非磁性であれば特に限定されるものではないが、例えば丈夫で軽く入手容易な竹製、グラスファイバー製あるいは炭素繊維製の伸縮可能な釣り竿を用いることができる。また、糸としては、非磁性であれば特に限定されるものではないが、例えば丈夫で入手容易なプラスチック製の糸（例えばナイロン製の釣り糸）を用いることができる。
このような構成の吊下手段によれば、糸にて吊り下げた磁石収納体を例えば風力によって揺らすことができ、それによって磁石が揺れて磁場を変化させることができる。このとき、竿が可撓性の高い前記釣り竿であれば、竿の揺れも大きく加わるのでより磁場の変化が複雑なものとなって好ましい。なお、磁気エネルギーに対して竿及び糸は非磁性であるため干渉することはない。また、一定の設置位置にて磁場を変化させ続けた場合には鳥が慣れてしまうが、本発明における吊下手段によれば、竿を持って装置全体を移動させて設置位置を容易に変えることができるので、変動磁場の発生場所を容易に変更することができ、鳥の変動磁場への慣れを防止することができる。
なお、その他の吊下手段としては、建物の軒下にレール及びレールを手動で移動する車輪部材を設け、この車輪部材に磁石を入れた磁石収納体を前記糸にて吊り下げた構成でもよい。この場合、長大な建物への本装置の設置に有効である。なお、レール及び車輪部材は非磁性材料からなるものが好ましい。
【００１０】
本発明の鳥類忌避装置は、磁石収納体内で磁石を包み込む非磁性材料からなる被覆部材をさらに備えてなるものであってもよい。この被覆部材によって、磁石の吸着力をより一層抑制することができるので、鋼材からなる軒先や柱の近辺に本装置を設置しても磁石の吸着を確実に防止でき、磁石収納体及び磁石の揺動を維持させることができる。被覆部材の形態としては、磁石全体を包み込めるものであれば特に限定されるものではなく、例えば袋状、箱状、シート状等が挙げられる。また、被覆部材を構成する非磁性材料としては、例えば発泡スチロールのようなプラスチック、合成又は天然ゴム、木材、段ボールのような紙等が挙げられ、中でも軽量でかつ磁石の保護材としても有効な発泡スチロールが好ましい    。
【００１１】
本発明において、磁石収納体としては、非磁性の材料からなり、磁石を封入できる形態であれば特に限定されるものではなく、例えば袋、箱等を挙げることができるが、袋とすることが作製の容易性と、軽量化が容易で微風でも揺れが大きい点で好ましい。袋としては、非磁性シートから構成されるものであって、外光を反射可能なアルミ箔と、このアルミ箔にラミネートされたプラスチックフィルムからなるものが好ましい。このような袋によれば、アルミ箔が外光を反射して輝くことにより鳥の警戒心を高めるので、忌避効果をより高めることができる。また、袋によって磁石が風雨や太陽光等の自然環境から保護されるので、磁石が錆びるなどの劣化が防止され、磁石の性能を長期間維持することができる。この袋の形状、大きさとしては特に限定されるものではないが、微風によっても磁石を入れた袋が揺れ、かつ強風によって飛ばされない程度が好ましく、例えば９ｃｍ×１２ｃｍ〜２２ｃｍ×３３ｃｍの封筒形のものが挙げられる。
【実施例】
【００１２】
以下、本発明の鳥類忌避装置の実施例を図面に基づいて詳説する。なお、本発明は実施例に限定されるものではない。
【００１３】
図１は、本発明に係る鳥類忌避装置の実施例を示す全体図であり、図２は同実施例における袋及びその内部構成を示す一部断面正面図である。
この鳥類忌避装置は、グラスファイバー製の伸縮可能な竿１と、竿１の先端に一端が締結されたナイロン製の糸２と、糸２の他端に取り付けられた、アルミ箔のラミネートフィルムからなる袋３と、袋３内に封入された１個のネオジム磁石４及びネオジム磁石４を包み込む発泡スチロール製の被覆部材５とから構成されている。
【００１４】
竿１の長さは伸張状態で約４．５ｍであり、糸２の長さは０．５〜１．０ｍである。袋３は９ｃｍ×１５ｃｍの矩形状であり、外周縁は溶着あるいは接着により密封されている。なお、袋３の上縁には糸２を結ぶための孔部６が設けられており、孔部６の周囲両面には補強用テープ７が貼付けられている。ネオジム磁石４は直径：１２〜１４ｍｍ、厚さ：１０ｍｍの円筒状であり、磁束密度は５００ｍＴである。ネオジム磁石４は、被覆部材５の内面に発泡スチロール製の被覆部材５に包まれて固定されている。
【００１５】
［実験例］
このように構成された実施例の鳥類忌避装置をカラスの群がる場所に設置して、カラスに対する忌避効果を試す実験を行った。設置場所は、富山県高岡市永楽町１−３８本田油脂工場付近の電柱周辺であり、その電柱周辺に３０ｍ間隔で本装置５セットを平成１５年４月８日〜８月３０日まで設置し、カラスの飛来数を毎日午前７〜８時頃目視により観測した。その結果を表１に示した。なお、表１において、空欄部分は未観測である。
【００１６】
【表１】
2005124429.tif 000003
【００１７】
表１に示すように、本装置の設置前日（4月７日）ではカラスが約１００羽集まっていたが、設置初日（４月８日）の観測では３羽に激減した。その後、カラスの飛来数が一転して増加した日もあったが、約５ヶ月間の観測から、概ね飛来数が減少傾向にあり、７月中旬から８月末日の期間では１羽も飛来しない日が増加していたことが判った。また、カラスの飛来数減少に伴って、電線下の糞が無くなっていることも確認できた。
この実験結果から、本発明の鳥類忌避装置によれば、カラスに対する忌避効果を確実に、かつ長期間にわたって得られることが判った。
【００１８】
［その他の実験例］
１．本発明の鳥類忌避装置の鳥に対する抑止力の範囲がどの程度であるかを確認するために、４ヘクタールの水田（富山県小矢部市赤倉１２８７）で本装置６セットをほぼ等間隔で設置し、１０日毎に各装置を移動させた。観測期間は平成１５年４月２０日〜８月３１日である。
観測の結果、カラスやカモが殆ど近寄らない状況であったことから、カモやカラスによる水田への影響を排除可能であることが判った。
２．カラスやカモメが頻繁に侵入していた氷見漁港に隣接する魚セリ市場に、本装置    セットを２０ｍ間隔で設置した。観測期間は平成１５年５月２０日〜８月３１日である。
観測の結果、カラスやカモメが侵入しなくなり、糞害が無くなった。
３．５アールのイチジク畑（富山県小矢部市赤倉１２８７）で、本装置３セットを設置し、２０日毎に移動させた。観測期間は平成１５年８月１０日〜１０月１５日である。
観測の結果、イチジク畑のカラスやムクドリによる被害は皆無となった。
【図面の簡単な説明】
【００１９】
【図１】本発明に係る鳥類忌避装置の実施例を示す全体図である。
【図２】同実施例における袋及びその内部構成を示す一部断面正面図である。
【符号の説明】
【００２０】
１  竿（竹、グラスファイバー又は炭素繊維製）
２  糸
３  袋（磁石収納体）
４  磁石
５  被覆部材
【図１】
2005124429.tif 000004
【図２】
2005124429.tif 000005